(57)【要約】【課題】電話システム全体を動作させるバックアップ用の二次電池を必要とすることなく、災害時に停電が発生した場合でも、コードレス子機間の通話を実現する。【解決手段】コードレス子機１０で、自己の親機２０とのリンクが切断した際に、通常モードから停電モードへ自己の動作モードを切り替えるとともに、停電モードにおける当該親機２０からのリンク確立要求に応じて、当該停電モードから通常モードへ自己の動作モードを切り替え、停電モードにおける自己以外のコードレス子機１０に対する呼出操作に応じて、当該相手コードレス子機１０との間でリンクを確立して直接通話を行い、停電モードから通常モードへの切替時に、相手コードレス子機１０とのリンクを切断した後、当該親機２０とのリンクを再確立する。【選択図】  図１
2010239388.tif 000002
【特許請求の範囲】
【請求項１】
親機と、電池で動作するコードレス子機との組からなり、互いの識別情報を用いて両者間で確立したリンクを介して無線通信を行う複数のコードレス電話機と、これらコードレス電話機を内線収容する電話制御装置とを含む電話システムであって、
前記コードレス子機は、
自己の親機との前記リンクが切断した際、当該親機を経由して通話を行う通常モードから当該親機を経由せず自己以外の前記コードレス子機との直接通話が可能な停電モードへ自己の動作モードを切り替えるとともに、前記停電モードにおける当該親機からのリンク確立要求に応じて、当該停電モードから前記通常モードへ自己の動作モードを切り替える動作モード切替部と、
前記停電モードにおける自己以外の前記コードレス子機に対する呼出操作に応じて、当該相手コードレス子機との間でリンクを確立して前記直接通話を行い、前記停電モードから前記通常モードへの切替時に、前記相手コードレス子機とのリンクを切断した後、当該親機とのリンクを再確立する通信制御部と
を備えることを特徴とする電話システム。
【請求項２】
請求項１に記載の電話システムにおいて、
前記動作モード切替部は、自己の親機を介して受信した前記電話制御装置からの緊急通報に応じて、当該緊急通報に含まれる通報情報を表示部で表示し、当該緊急通報の受信時刻または当該緊急通報で通知された災害発生推定時刻を基準としてリンク切断検出のための検出期間を設定し、当該検出期間内に当該親機との前記リンクが切断した際は自己の動作モードを前記停電モードへ切り替え、前記検出期間以外で前記リンクが切断した際は自己の動作モードを前記通常モードのまま維持し、
前記通信制御部は、前記通常モードで自己の親機との前記リンクが切断した場合は、当該親機からのリンク確立要求に応じて当該リンクを再確立する
ことを特徴とする電話システム。
【請求項３】
親機と、電池で動作するコードレス子機との組からなり、互いの識別情報を用いて両者間で確立したリンクを介して無線通信を行う複数のコードレス電話機と、これらコードレス電話機を内線収容する電話制御装置とを含む電話システムで用いられる電話制御方法であって、
前記コードレス子機が、
自己の親機との前記リンクが切断した際、当該親機を経由して通話を行う通常モードから当該親機を経由せず自己以外の前記コードレス子機との直接通話が可能な停電モードへ自己の動作モードを切り替えるとともに、前記停電モードにおける当該親機からのリンク確立要求に応じて、当該停電モードから前記通常モードへ自己の動作モードを切り替える動作モード切替ステップと、
前記停電モードにおける自己以外の前記コードレス子機に対する呼出操作に応じて、当該相手コードレス子機との間でリンクを確立して前記直接通話を行い、前記停電モードから前記通常モードへの切替時に、前記相手コードレス子機とのリンクを切断した後、当該親機とのリンクを再確立する通信制御ステップと
を備えることを特徴とする電話制御方法。
【請求項４】
請求項３に記載の電話制御方法において、
前記動作モード切替ステップは、自己の親機を介して受信した前記電話制御装置からの緊急通報に応じて、当該緊急通報に含まれる通報情報を表示部で表示し、当該緊急通報の受信時刻または当該緊急通報で通知された災害発生推定時刻を基準としてリンク切断検出のための検出期間を設定し、当該検出期間内に当該親機との前記リンクが切断した際は自己の動作モードを前記停電モードへ切り替え、前記検出期間以外で前記リンクが切断した際は自己の動作モードを前記通常モードのまま維持し、
前記通信制御ステップは、前記通常モードで自己の親機との前記リンクが切断した場合は、当該親機からのリンク確立要求に応じて当該リンクを再確立する
ことを特徴とする電話制御方法。
【請求項５】
親機と、電池で動作するコードレス子機との組からなり、互いの識別情報を用いて両者間で確立したリンクを介して無線通信を行う複数のコードレス電話機と、これらコードレス電話機を内線収容する電話制御装置とを含む電話システムで用いられるコードレス子機であって、
自己の親機との前記リンクが切断した際、当該親機を経由して通話を行う通常モードから当該親機を経由せず自己以外の前記コードレス子機との直接通話が可能な停電モードへ自己の動作モードを切り替えるとともに、前記停電モードにおける当該親機からのリンク確立要求に応じて、当該停電モードから前記通常モードへ自己の動作モードを切り替える動作モード切替部と、
前記停電モードにおける自己以外の前記コードレス子機に対する呼出操作に応じて、当該相手コードレス子機との間でリンクを確立して前記直接通話を行い、前記停電モードから前記通常モードへの切替時に、前記相手コードレス子機とのリンクを切断した後、当該親機とのリンクを再確立する通信制御部と
を備えることを特徴とするコードレス子機。
【請求項６】
請求項５に記載のコードレス子機において、
前記動作モード切替部は、自己の親機を介して受信した前記電話制御装置からの緊急通報に応じて、当該緊急通報に含まれる通報情報を表示部で表示し、当該緊急通報の受信時刻または当該緊急通報で通知された災害発生推定時刻を基準としてリンク切断検出のための検出期間を設定し、当該検出期間内に当該親機との前記リンクが切断した際は自己の動作モードを前記停電モードへ切り替え、前記検出期間以外で前記リンクが切断した際は自己の動作モードを前記通常モードのまま維持し、
前記通信制御部は、前記通常モードで自己の親機との前記リンクが切断した場合は、当該親機からのリンク確立要求に応じて当該リンクを再確立する
ことを特徴とするコードレス子機。
【発明の詳細な説明】
【技術分野】
【０００１】
本発明は、電話制御技術に関し、特に電話システムに内線収容されているコードレス子機による災害発生時の通話技術に関する。
【背景技術】
【０００２】
ボタン電話システムやＰＢＸシステムなどの電話システムでは、主装置やＰＢＸなどの電話制御装置に内線収容される電話機としてコードレス電話機を用いる場合がある。このコードレス電話機は、電話制御装置と有線回線を介して接続された親機と、この親機と無線回線を介して接続されたコードレス子機とからなり、無線回線を介して形成した通話パスを用いて、コードレス子機で電話制御装置を介した通話を行うものとなっている。
【０００３】
このような電話システムにおいて、地震や集中豪雨などの災害が発生した場合、内線収容されている各電話機間で音声通話を行うことにより、利用者が互いの安否や災害状況を確認するものとなる。
このような災害発生時には、停電が併発するケースも多い。したがって、停電が発生した場合には、電話制御装置や親機への電源供給が停止するため、コードレス子機自体は二次電池で動作可能であるものの、正常時のように通話ができなくなる。
【０００４】
このような停電時において通話を実現する公知技術として、親機にバックアップ用の二次電池を搭載して停電時でも動作させる技術（例えば、特許文献１など参照）や、親機に載置されているコードレス子機の二次電池で親機を停電時でも動作させる技術（例えば、特許文献２など参照）が提案されている。
しかしながら、電話制御装置にコードレス電話機が内線収容されている場合には、電話制御装置を経由して内線通話が行われるため、コードレス子機間で内線通話を行う場合でも、電話システム全体を動作させる必要がある。したがって、各コードレス子機の利用者が安否や互いに災害状況を確認するのに十分な通話時間を得るには、規模の大きい二次電池が必要となるため、システム全体としてコストアップの要因となる。
【０００５】
従来、複数のコードレス子機が１つの親機に共通して内線収容されているコードレス電話システムにおいて、親子間で確立している無線通信の空きタイムスロットを利用して、親機経由で音声データをやり取りすることによりコードレス子機間で直接通話を行う技術が提案されている（例えば、特許文献３など参照）。
【先行技術文献】
【特許文献】
【０００６】
【特許文献１】特開平４−２６２６５２号公報
【特許文献２】特開平６−１５２７０５号公報
【特許文献３】特開平８−０９８２４３号公報
【発明の概要】
【発明が解決しようとする課題】
【０００７】
しかしながら、このような従来技術では、親子間で確立している無線通信の空きタイムスロットを利用しているため、親機が停電すると親子間の無線通信が途絶えて、親機経由で音声データをやり取りすることができなくなり、結果としてコードレス子機間の直接通話も途絶えてしまう。したがって、停電時でもコードレス子機間の通話を可能とするためには、前述した公知技術と同様に、電話システム全体を動作させるバックアップ用の二次電池が必要となり、各コードレス子機の利用者が互いに安否や災害状況を確認するのに十分な通話時間を得るには、規模の大きい二次電池が必要となるため、電話システム全体としてコストアップの要因となる。
【０００８】
本発明はこのような課題を解決するためのものであり、電話システム全体を動作させるバックアップ用の二次電池を必要とすることなく、災害時に停電が発生した場合でも、コードレス子機間の通話を実現できる電話システム、電話制御方法、およびコードレス子機を提供することを目的としている。
【課題を解決するための手段】
【０００９】
このような目的を達成するために、本発明にかかる電話システムは、親機と、電池で動作するコードレス子機との組からなり、互いの識別情報を用いて両者間で確立したリンクを介して無線通信を行う複数のコードレス電話機と、これらコードレス電話機を内線収容する電話制御装置とを含む電話システムであって、コードレス子機は、自己の親機とのリンクが切断した際、当該親機を経由して通話を行う通常モードから当該親機を経由せず自己以外のコードレス子機との直接通話が可能な停電モードへ自己の動作モードを切り替えるとともに、停電モードにおける当該親機からのリンク確立要求に応じて、当該停電モードから通常モードへ自己の動作モードを切り替える動作モード切替部と、停電モードにおける自己以外のコードレス子機に対する呼出操作に応じて、当該相手コードレス子機との間でリンクを確立して直接通話を行い、停電モードから通常モードへの切替時に、相手コードレス子機とのリンクを切断した後、当該親機とのリンクを再確立する通信制御部とを備えている。
【００１０】
この際、動作モード切替部で、自己の親機を介して受信した電話制御装置からの緊急通報に応じて、当該緊急通報に含まれる通報情報を表示部で表示し、当該緊急通報の受信時刻または当該緊急通報で通知された災害発生推定時刻を基準としてリンク切断検出のための検出期間を設定し、当該検出期間内に当該親機とのリンクが切断した際は自己の動作モードを停電モードへ切り替え、検出期間以外でリンクが切断した際は自己の動作モードを通常モードのまま維持し、通信制御部で、通常モードで自己の親機とのリンクが切断した場合は、当該親機からのリンク確立要求に応じて当該リンクを再確立するようにしてもよい。
【００１１】
また、本発明にかかる電話制御方法は、親機と、電池で動作するコードレス子機との組からなり、互いの識別情報を用いて両者間で確立したリンクを介して無線通信を行う複数のコードレス電話機と、これらコードレス電話機を内線収容する電話制御装置とを含む電話システムで用いられる電話制御方法であって、コードレス子機が、自己の親機とのリンクが切断した際、当該親機を経由して通話を行う通常モードから当該親機を経由せず自己以外のコードレス子機との直接通話が可能な停電モードへ自己の動作モードを切り替えるとともに、停電モードにおける当該親機からのリンク確立要求に応じて、当該停電モードから通常モードへ自己の動作モードを切り替える動作モード切替ステップと、停電モードにおける自己以外のコードレス子機に対する呼出操作に応じて、当該相手コードレス子機との間でリンクを確立して直接通話を行い、停電モードから通常モードへの切替時に、相手コードレス子機とのリンクを切断した後、当該親機とのリンクを再確立する通信制御ステップとを備えている。
【００１２】
この際、動作モード切替ステップで、自己の親機を介して受信した電話制御装置からの緊急通報に応じて、当該緊急通報に含まれる通報情報を表示部で表示し、当該緊急通報の受信時刻または当該緊急通報で通知された災害発生推定時刻を基準としてリンク切断検出のための検出期間を設定し、当該検出期間内に当該親機とのリンクが切断した際は自己の動作モードを停電モードへ切り替え、検出期間以外でリンクが切断した際は自己の動作モードを通常モードのまま維持し、通信制御ステップで、通常モードで自己の親機とのリンクが切断した場合は、当該親機からのリンク確立要求に応じて当該リンクを再確立するようにしてもよい。
【００１３】
また、本発明にかかるコードレス子機は、親機と、電池で動作するコードレス子機との組からなり、互いの識別情報を用いて両者間で確立したリンクを介して無線通信を行う複数のコードレス電話機と、これらコードレス電話機を内線収容する電話制御装置とを含む電話システムで用いられるコードレス子機であって、自己の親機とのリンクが切断した際、当該親機を経由して通話を行う通常モードから当該親機を経由せず自己以外のコードレス子機との直接通話が可能な停電モードへ自己の動作モードを切り替えるとともに、停電モードにおける当該親機からのリンク確立要求に応じて、当該停電モードから通常モードへ自己の動作モードを切り替える動作モード切替部と、停電モードにおける自己以外のコードレス子機に対する呼出操作に応じて、当該相手コードレス子機との間でリンクを確立して直接通話を行い、停電モードから通常モードへの切替時に、相手コードレス子機とのリンクを切断した後、当該親機とのリンクを再確立する通信制御部とを備えている。
【００１４】
この際、動作モード切替部で、自己の親機を介して受信した電話制御装置からの緊急通報に応じて、当該緊急通報に含まれる通報情報を表示部で表示し、当該緊急通報の受信時刻または当該緊急通報で通知された災害発生推定時刻を基準としてリンク切断検出のための検出期間を設定し、当該検出期間内に当該親機とのリンクが切断した際は自己の動作モードを停電モードへ切り替え、検出期間以外でリンクが切断した際は自己の動作モードを通常モードのまま維持し、通信制御部で、通常モードで自己の親機とのリンクが切断した場合は、当該親機からのリンク確立要求に応じて当該リンクを再確立するようにしてもよい。
【発明の効果】
【００１５】
本発明によれば、電話制御装置や親機を経由することなく、電池で動作するコードレス子機間で、直接通話を行うことができる。これにより、電話システム全体を動作させるバックアップ用の二次電池を必要とすることなく、災害時に停電が発生した場合でも、各コードレス子機の利用者が互いに安否や災害状況を確認するのに十分な通話時間を得ることができる。
【図面の簡単な説明】
【００１６】
【図１】本実施の形態にかかる電話システムの構成を示すブロック図である。
【図２】本実施の形態にかかるコードレス子機の構成を示すブロック図である。
【図３】本実施の形態にかかる親機の構成を示すブロック図である。
【図４】本実施の形態にかかるコードレス子機の停電制御処理を示すフローチャートである。
【図５】本実施の形態にかかる電話システムの停電動作を示すシーケンス図である。
【発明を実施するための形態】
【００１７】
次に、本発明の一実施の形態について図面を参照して説明する。
［本実施の形態の構成］
まず、図１を参照して、本実施の形態にかかる電話システムについて説明する。図１は、本実施の形態にかかる電話システムの構成を示すブロック図である。
【００１８】
この電話システム１は、互いの識別情報を用いて相互間で無線通信を行う親機２０（２０Ａ，２０Ｂ，〜，２０Ｎ）と、二次電池を含む電池（以下、電池という）で動作するコードレス子機１０（１０Ａ，１０Ｂ，〜，１０Ｎ）との組からなる複数のコードレス電話機３０（３０Ａ，３０Ｂ，〜，３０Ｎ）と、このコードレス電話機３０を内線収容するとともに電話網ＮＷに接続されている電話制御装置４０とを含む。
【００１９】
電話システム１の具体例としては、ボタン電話システムやＰＢＸシステムがある。例えば、ボタン電話システムの場合にはその主装置や電話サーバが電話制御装置４０に相当し、ＰＢＸシステムの場合にはそのＰＢＸが電話制御装置４０に相当する。
また、電話網ＮＷには、気象庁などの機関が予期した災害発生に関する緊急地震速報や津波速報などの緊急通報を通知する、公知の緊急通報システム５０が接続されている。通知が必要な緊急災害が発生した場合には、この緊急通報システム５０から電話網ＮＷを介して、予め契約している電話制御装置４０などの通信装置へ通知される。
【００２０】
本実施の形態にかかる電話システムは、コードレス子機１０で、自己の親機２０とのリンクが切断した際に、当該親機２０を経由して通話を行う通常モードから当該親機２０を経由せず自己以外のコードレス子機１０との直接通話が可能な停電モードへ自己の動作モードを切り替えるとともに、停電モードにおける当該親機２０からのリンク確立要求に応じて、当該停電モードから通常モードへ自己の動作モードを切り替えるものとし、停電モードにおける自己以外のコードレス子機１０に対する呼出操作に応じて、当該相手コードレス子機１０との間でリンクを確立して直接通話を行い、停電モードから通常モードへの切替時に、相手コードレス子機１０とのリンクを切断した後、当該親機２０とのリンクを再確立するようにしたものである。
【００２１】
［コードレス子機］
次に、図２を参照して、本実施の形態にかかる電話システムのコードレス子機の構成について説明する。図２は、本実施の形態にかかる電話システムのコードレス子機の構成を示すブロック図である。
【００２２】
コードレス子機１０は、全体として、電池で動作して親機２０やコードレス子機１０と無線通信を行う無線通信端末からなり、主な機能部として、制御部１１、記憶部１２、操作入力部１３、表示部１４、無線インターフェース部（以下、無線Ｉ／Ｆ部という）１５、および音声処理部１６が設けられており、これら機能部が共通バスを介して相互に接続されている。
【００２３】
本実施の形態にかかるコードレス子機１０は、自己の動作モードとして、通常モードと停電モードの２種類を有している。このうち通常モードは、当該親機を経由して通話を行う動作モードであり、停電モードは、当該親機を経由せず自己以外のコードレス子機１０との直接通話が可能な動作モードである。制御部１１は、自己の状況に応じて、これら動作モードを切り替えて動作する。
【００２４】
制御部１１は、ＣＰＵとその周辺回路を有し、記憶部１２からプログラムを読み込んで実行することにより、コードレス子機１０全体を制御する機能を有している。制御部１１に設けられた主な処理部としては、通信制御部１１Ａと動作モード切替部１１Ｂがある。
【００２５】
通信制御部１１Ａは、無線Ｉ／Ｆ部１５を用いた親機２０や自己以外のコードレス子機との無線通信を制御する機能と、停電モードにおける自己以外のコードレス子機１０に対する呼出操作に応じて、当該相手コードレス子機１０との間でリンクを確立して直接通話を行う機能と、停電モードから通常モードへの切替時に、相手コードレス子機１０とのリンクを切断した後、当該親機２０とのリンクを再確立する機能と、通常モードで自己の親機２０とのリンクが切断した場合は、当該親機２０からのリンク確立要求に応じて当該リンクを再確立する機能とを有している。
【００２６】
動作モード切替部１１Ｂは、自己の親機２０を介して受信した電話制御装置４０からの緊急通報に応じて、当該緊急通報に含まれる通報情報を表示部１４で表示する機能と、当該緊急通報の受信時刻または当該緊急通報で通知された災害発生推定時刻を基準としてリンク切断検出のための検出期間を設定する機能と、当該検出期間内に自己の親機２０とのリンクが切断した際は、記憶部１２で保持されている自己の動作モードを通常モードから停電モードへ切り替える機能と、検出期間以外でリンクが切断した際は自己の動作モードを通常モードのまま維持する機能と、停電モードにおける親機２０からのリンク確立要求に応じて、記憶部１２で保持されている自己の動作モードを停電モードから通常モードへ切り替える機能とを有している。
【００２７】
記憶部１２は、通信制御部１１Ａや動作モード切替部１１Ｂでの処理に用いるプログラムや各種処理情報を記憶する機能を有している。記憶部１２で記憶する主な処理情報としては、自己の動作モード、当該コードレス子機１０と組をなす親機２０の識別情報、電話システム１で用いるすべてのコードレス子機１０の識別情報および内線番号などがある。
操作入力部１３は、ダイヤルキーや機能キーなどの各種操作キーからなり、利用者の操作を検出して通信制御部１１Ａや動作モード切替部１１Ｂへ出力する機能を有している。
表示部１４は、ＬＣＤやＬＥＤなどの表示回路からなり、通信制御部１１Ａや動作モード切替部１１Ｂからの指示に応じて、自己の動作モードや緊急通報で通知された通報情報などの各種情報を表示する機能を有している。
【００２８】
無線Ｉ／Ｆ部１５は、専用の無線回路からなり、ブルートゥース（Bluetooth：登録商標）や無線ＬＡＮなどの無線通信プロトコルに基づいて、親機２０や自己以外のコードレス子機１０からなる通信相手との間でリンクを確立し、このリンクを介して無線通信を行う機能を有している。
音声処理部１６は、専用の音声処理回路からなり、無線Ｉ／Ｆ部１５を介して受信した音声データを音声信号に復号してスピーカから出力するとともに、マイクからの入力音声信号を音声データに符号化して無線Ｉ／Ｆ部１５へ出力する機能と、制御部１１からの指示に応じて着信音などの各種信号音をスピーカから出力する機能とを有している。
【００２９】
［親機］
次に、図３を参照して、本実施の形態にかかる電話システムの親機の構成について説明する。図３は、本実施の形態にかかる電話システムの親機の構成を示すブロック図である。
親機２０は、全体として、電話制御装置４０からの給電電源により動作してコードレス子機１０と無線通信を行う無線通信端末からなり、主な機能部として、制御部２１、記憶部２２、操作入力部２３、表示部２４、無線インターフェース部（以下、無線Ｉ／Ｆ部という）２５、音声処理部２６、および通信インターフェース部（以下、通信Ｉ／Ｆ部という）２７が設けられており、これら機能部が共通バスを介して相互に接続されている。
【００３０】
制御部２１は、ＣＰＵとその周辺回路を有し、記憶部２２からプログラムを読み込んで実行することにより、親機２０全体を制御する機能を有している。
記憶部２２は、制御部２１での処理に用いるプログラムや各種処理情報を記憶する機能を有している。記憶部２２で記憶する主な処理情報としては、当該親機２０と組をなすコードレス子機１０の識別情報や、電話システム１で用いるすべてのコードレス子機１０の識別情報がある。
【００３１】
操作入力部２３は、ダイヤルキーや機能キーなどの各種操作キーからなり、利用者の操作を検出して制御部２１へ出力する機能を有している。
表示部２４は、ＬＣＤやＬＥＤなどの表示回路からなり、制御部２１からの指示に応じて各種情報を表示する機能を有している。
【００３２】
無線Ｉ／Ｆ部２５は、専用の無線回路からなり、ブルートゥース（Bluetooth）や無線ＬＡＮなどの無線通信プロトコルに基づいて、コードレス子機１０との間でリンクを確立し、このリンクを介してコードレス子機１０と無線通信を行う機能を有している。
音声処理部２６は、専用の音声処理回路からなり、無線Ｉ／Ｆ部２５を介して受信した音声データを音声信号に復号してスピーカから出力するとともに、マイクからの入力音声信号を音声データに符号化して無線Ｉ／Ｆ部２５へ出力する機能と、制御部２１からの指示に応じて着信音などの各種信号音をスピーカから出力する機能とを有している。
通信Ｉ／Ｆ部２７は、専用の通信回路からなり、有線回線からなる内線伝送路を介して電話制御装置４０との間でデータ通信を行う機能を有している。
【００３３】
本実施の形態にかかる電話システム１のうち、電話制御装置４０については、一般的な公知の構成を有しており、ここでの詳細な説明は省略する。また、電話制御装置４０には、コードレス電話機３０以外の他の電話装置が接続されていてもよい。また、電話網ＮＷは、アナログの公衆電話網であってもよく、デジタルのＩＳＤＮやＩＰ電話網であってもよい。
【００３４】
［本実施の形態の動作］
次に、図４を参照して、本実施の形態にかかる電話システムの動作について説明する。ここでは、コードレス子機１０での停電制御動作について説明する。図４は、本実施の形態にかかるコードレス子機の停電制御処理を示すフローチャートである。
【００３５】
コードレス子機１０の制御部１１は、通常モードで動作中に、自己の親機２０を介して電話制御装置４０から緊急通報を無線Ｉ／Ｆ部１５で受信した場合、動作モード切替部１１Ｂにより、受信した緊急通報で通知された通報情報を表示部１４で表示した後、図４の停電制御処理を実行する。この緊急通報には、緊急地震速報や津波警報などの種別があり、気象庁などの機関が予期した災害発生地域、災害内容、災害発生推定時刻などの通報情報が通知される。
【００３６】
停電制御処理において、制御部１１は、まず、動作モード切替部１１Ｂにより、当該緊急通報の受信時刻または当該緊急通報で通知された災害発生推定時刻を基準時刻として、この基準時刻を含む前後または基準時刻以降に、リンク切断検出のための検出期間を設定し（ステップ１００）、ＣＰＵのタイマ機能を利用して、検出期間が開始されるまで後続処理の実行を待機する（ステップ１０１）。
【００３７】
検出期間については、緊急通報の種別ごとに、基準時刻として用いる時刻や検出期間の時間位置および時間長を記憶部１２へ予め設定しておけばよい。
例えば、緊急地震速報の場合には、当該緊急地震速報の受信時刻と地震発生推定時刻との時間差があまりなく、地震発生推定時刻のばらつきも小さく、さらに停電が起こる場合には地震発生から数分程度で停電が発生する可能性が高い。このため、当該緊急地震速報の受信時刻や当該緊急地震速報で通知された地震発生推定時刻から１０分以内を検出期間としてもよい。
また、津波警報の場合には、当該緊急地震速報の受信時刻と津波到達推定時刻との時間差が大きく、津波到達推定時刻のばらつきも大きい。このため、当該津波警報で通知された津波到達推定時刻を含む前後３０分間（延べ１時間）を検出期間としてもよい。
【００３８】
次に、動作モード切替部１１Ｂは、検出期間開始後、無線Ｉ／Ｆ部１５により、親機２０との無線通信のためのリンクの切断有無を確認し（ステップ１０２）、リンク切断が確認されなかった場合には（ステップ１０２：ＮＯ）、検出期間の終了を確認する（ステップ１０３）。
ここで、検出期間の終了が確認された場合（ステップ１０３：ＹＥＳ）、一連の停電制御動作を終了し、検出期間が終了していない場合（ステップ１０３：ＮＯ）、ステップ１０２へ戻る。
【００３９】
一方、ステップ１０２で、リンク切断が確認された場合、動作モード切替部１１Ｂは、記憶部１２で保持されている自己の動作モードを通常モードから停電モードへ切り替え（ステップ１１０）、リンク確立待機状態となる。
【００４０】
リンク確立待機状態において、操作入力部１３により、内線番号を指定した自己以外のコードレス子機１０への呼出操作が検出された場合（ステップ１１１：ＹＥＳ）、制御部１１は、通信制御部１１Ａにより、当該内線番号と対応するコードレス子機の識別情報を記憶部１２から取得し、この識別情報に基づいて相手コードレス子機１０との間でリンクを確立して呼び出す（ステップ１１２）。この呼出に対する相手コードレス子機１０からの応答に応じて、相手コードレス子機１０との間で直接通話を開始する（ステップ１１３）。
【００４１】
この後、操作入力部１３により終話操作が検出された場合には、相手コードレス子機１０との通話を終了し、操作入力部１３で新たなコードレス子機１０への呼出操作が検出された場合には、それまでのリンクを切断した後、前述のステップ１１２，１１３を繰り返し実行すればよい。
【００４２】
一方、リンク確立待機状態において、無線Ｉ／Ｆ部１５により、親機２０からのリンク確立要求を受信した場合（ステップ１１４）、制御部１１は、動作モード切替部１１Ｂにより、記憶部１２で保持されている自己の動作モードを停電モードから通常モードへ切り替える（ステップ１１５）。
この後、制御部１１は、通信制御部１１Ａにより、自己以外のコードレス子機１０との間でリンクを確立している場合には当該リンクを切断した後、親機２０とのリンクを確立し（ステップ１１６）、一連の停電制御動作を終了する。
【００４３】
図５は、本実施の形態にかかる電話システムの停電動作を示すシーケンス図である。
親機２０Ａ，２０Ｂがそれぞれ組をなすコードレス子機１０Ａ，１０Ｂとリンクを確立している状態で（ステップ２００）、緊急通報システム５０から電話制御装置４０へ緊急通報が通知された場合（ステップ２０１）、電話制御装置４０は、それぞれの親機２０Ａ，２０Ｂを経由して各コードレス子機１０Ａ，１０Ｂへ、受信した緊急通報を通知する（ステップ２０２，２０３）。
【００４４】
コードレス子機１０Ａ，１０Ｂは、電話制御装置４０からの緊急通報を受信して、その通報情報を表示し（ステップ２０４）、停電による電話システム１の停止に応じて（ステップ２０５）、検出期間内にそれぞれの親機２０Ａ，２０Ｂとのリンクの切断が検出された場合（ステップ２０６）、通常モードから停電モードへ移行して、リンク確立待機状態となる（ステップ２０７）。
【００４５】
停電モードにおいて、コードレス子機１０Ａでコードレス子機１０Ｂに対する呼出操作が行われた場合（ステップ２１０）、コードレス子機１０Ａは、コードレス子機１０Ｂに対してリンク確立要求を通知し、これに応じたコードレス子機１０ＢからのＯＫ通知に応じて、両者間でリンクを確立する。その後、コードレス子機１０Ａからの呼出通知に応じて、コードレス子機１０Ｂから応答通知が返送された場合、両者間で親機２０Ａ，２０Ｂを経由しない直接通話が開始される。
【００４６】
この後、復電により電話システムが再起動した場合（ステップ２２０）、親機２０Ａからコードレス子機１０Ａに対してリンク確立要求２２１が通知される（ステップ２２１）。コードレス子機１０Ａは、これに応じて停電モードから通常モードへ移行し（ステップ２２２）、コードレス子機１０Ｂとのリンクを切断した後（ステップ２２３）、親機２０Ａに対してＯＫ通知を送信する（ステップ２２４）。これにより、親機２０Ａとコードレス子機１０Ａとの間でリンクを再確立する（ステップ２２５）。
なお、ステップ２２１〜２２５については、親機２０Ｂと子機１０Ｂとの間でも並行して実行される。
【００４７】
［本実施の形態の効果］
このように、本実施の形態は、コードレス子機１０で、自己の親機２０とのリンクが切断した際に、当該親機２０を経由して通話を行う通常モードから当該親機２０を経由せず自己以外のコードレス子機１０との直接通話が可能な停電モードへ自己の動作モードを切り替えるとともに、停電モードにおける当該親機２０からのリンク確立要求に応じて、当該停電モードから通常モードへ自己の動作モードを切り替えるものとし、停電モードにおける自己以外のコードレス子機１０に対する呼出操作に応じて、当該相手コードレス子機１０との間でリンクを確立して直接通話を行い、停電モードから通常モードへの切替時に、相手コードレス子機１０とのリンクを切断した後、当該親機２０とのリンクを再確立している。
【００４８】
したがって、電話制御装置４０や親機２０を経由することなく、電池で動作するコードレス子機間で、直接通話を行うことができる。これにより、電話システム全体を動作させるバックアップ用の二次電池を必要とすることなく、災害時に停電が発生した場合でも、各コードレス子機の利用者が互いに安否や災害状況を確認するのに十分な通話時間を得ることができる。
【００４９】
また、本実施の形態では、緊急通報を受信した後、検出期間内に親機２０とのリンクが切断された時点で、通常モードから停電モードへ移行するようにしたので、メンテナンスに伴う電話システムの停止など、災害を伴わない予定の停電におけるコードレス子機１０間の直接通話を抑止することができ、電話システムを安定して運用することが可能となる。
【００５０】
また、本実施の形態では、緊急通報システム５０からの緊急通報に基づき、各コードレス子機１０で停電制御処理の実行を開始する場合を例として説明したが、これに限定されるものではない。例えば、公知の技術では、電話制御装置４０において、停電を検出した場合、システム停止する前に各内線電話機へ停電検出を通知する機能がある。したがって、この停電検出通知に基づき各コードレス子機１０で停電制御処理の実行を開始してもよい。この際、メンテナンスに伴って電話システムを停止する際には、電話制御装置４０を制御して、停電検出の通知を停止すれば、メンテナンスに伴う電話システムの停止など、災害を伴わない予定の停電におけるコードレス子機１０間の直接通話を抑止することができ、電話システムを安定して運用することが可能となる。
また、親機から子機へのリンク開放要求や子機間通話開始要求など、親機からの操作によって子機の動作モードを切り替えるようにしてもよい。
【符号の説明】
【００５１】
１…電話システム、１０，１０Ａ，１０Ｂ，〜，１０Ｎ…コードレス子機、１１…制御部、１１Ａ…通信制御部、１１Ｂ…動作モード切替部、１２…記憶部、１３…操作入力部、１４…表示部、１５…無線Ｉ／Ｆ部、１６…音声処理部、２０，２０Ａ，２０Ｂ，２０Ｃ，〜，２０Ｎ…親機、２１…制御部、２２…記憶部、２３…操作入力部、２４…表示部、２５…無線Ｉ／Ｆ部、２６…音声処理部、２７…通信Ｉ／Ｆ部、３０，３０Ａ，３０Ｂ，３０Ｃ，〜，３０Ｎ…コードレス電話機、４０…電話制御装置、ＮＷ…電話網、５０…緊急通報システム。
【図１】
2010239388.tif 000003
【図２】
2010239388.tif 000004
【図３】
2010239388.tif 000005
【図４】
2010239388.tif 000006
【図５】
2010239388.tif 000007